(57)【要約】      （修正有）【課題】高性能な機器を必要とせずに、マルチディスプレイを用いて病理診断を行うための診断用システムを提供する。【解決手段】病理標本を撮影した画像データを記憶する記憶部４２と、通信部４０とを備えるサーバ６と、複数のディスプレイ５６，５８，６０，６２を配列して構成され、それぞれ異なるコンピュータ４６，４８，５０，５２に接続されるマルチディスプレイ４４と、マルチディスプレイに表示される病理標本を撮影した画像データに基づく画像に対して操作指示を行う操作部５４ａ〜５４ｄと、コンピュータのそれぞれに接続されたディスプレイの表示制御を行う複数の表示制御部６６，７２，７８，８４と、マルチディスプレイを構成する複数のディスプレイのそれぞれに対応して設けられ、サーバから画像データを受信し、サーバに対して操作指示を示す信号を送信する通信部６８，７４，８０，８６とを備える診断用表示装置８とを備える。【選択図】図１
2015184612.tif 000002
【特許請求の範囲】
【請求項１】
病理標本を撮影した画像データを記憶する記憶部と、
診断用表示装置との通信を行う通信部と
を備えるサーバと、
複数のディスプレイを配列して構成され、複数の前記ディスプレイはそれぞれ異なるコンピュータに接続されるマルチディスプレイと、
前記マルチディスプレイに表示される病理標本を撮影した画像データに基づく画像に対して操作指示を行う操作部と、
前記コンピュータのそれぞれに設けられ、前記コンピュータのそれぞれに接続された前記ディスプレイの表示制御を行う複数の表示制御部と、
前記マルチディスプレイを構成する複数の前記ディスプレイのそれぞれに対応して設けられ、前記サーバから画像データを受信し、前記サーバに対して前記操作指示を示す信号を送信する通信部と
を備える診断用表示装置と
を備えることを特徴とする診断用システム。
【請求項２】
前記マルチディスプレイに表示される領域の一部を拡大して表示する表示端末をさらに備えることを特徴とする請求項１記載の診断用システム。
【請求項３】
前記操作部は、前記ディスプレイ上に積層して配置されるタッチセンサであることを特徴とする請求項１または２記載の診断用システム。
【請求項４】
前記コンピュータは、パーソナルコンピュータであって、
前記マルチディスプレイは、前記ディスプレイとしてＨＤ、フルＨＤ、４Ｋ、８Ｋ及び１６Ｋのうちの少なくとも１つのディスプレイを含むことを特徴とする請求項１〜３の何れか一項に記載の診断用システム。
【請求項５】
前記診断用表示装置は、タブレットであることを特徴とする請求項１または２記載の診断用システム。
【請求項６】
前記画像データは、ホールスライドイメージの画像データであることを特徴とする請求項１〜５の何れか一項に記載の診断用システム。
【請求項７】
前記操作部による操作指示に基づいて、前記表示制御部は、前記マルチディスプレイに表示される画像の表示領域を変更することを特徴とする請求項１〜６の何れか一項に記載の診断用システム。
【請求項８】
複数のディスプレイを配列して構成され、複数の前記ディスプレイはそれぞれ異なるコンピュータに接続されるマルチディスプレイと、
前記マルチディスプレイに表示される病理標本を撮影した画像データに基づく画像に対して操作指示を行う操作部と、
前記マルチディスプレイを構成する複数の前記ディスプレイのそれぞれに対応して設けられ、前記コンピュータのそれぞれに設けられ、前記コンピュータにそれぞれ接続された前記ディスプレイの表示制御を行う複数の表示制御部と、
前記マルチディスプレイを構成する複数の前記ディスプレイのそれぞれに対応して設けられ、サーバから画像データを受信し、前記サーバに対して前記操作指示を示す信号を送信する通信部と
を備える診断用表示装置。
【請求項９】
前記操作部は、前記ディスプレイ上に積層して配置されるタッチセンサであることを特徴とする請求項８記載の診断用表示装置。
【請求項１０】
前記コンピュータは、パーソナルコンピュータであって、
前記マルチディスプレイは、前記ディスプレイとしてＨＤ、フルＨＤ、４Ｋ、８Ｋ及び１６Ｋのうちの少なくとも１つのディスプレイを含むことを特徴とする請求項８または９記載の診断用表示装置。
【請求項１１】
前記診断用表示装置は、タブレットであることを特徴とする請求項８または９記載の診断用表示装置。
【請求項１２】
前記画像データは、ホールスライドイメージの画像データであることを特徴とする請求項８〜１１の何れか一項に記載の診断用表示装置。
【請求項１３】
前記操作部による操作指示に基づいて、前記表示制御部は、前記マルチディスプレイに表示される画像の表示領域を変更することを特徴とする請求項８〜１２の何れか一項に記載の診断用表示装置。
【発明の詳細な説明】
【技術分野】
【０００１】
本発明は、病理標本についての病理診断を行うための診断用システム及び診断用表示装置に関するものである。
【背景技術】
【０００２】
近年、病理学の分野等において、光学顕微鏡によって観察される画像をデジタルデータ化し、ディスプレイ上で観察する装置が用いられている。このような装置としては、デジタルカメラを介して病理標本をディスプレイで観察する光学顕微鏡であるデジタル顕微鏡、従来の光学顕微鏡にデジタルカメラと電動ステージを追加し、遠隔操作で顕微鏡観察を行う遠隔顕微鏡、及び病理標本全体を撮影し、デジタル画像データを生成するホールスライドイメージ作成装置が存在する。
【０００３】
例えば、特許文献１には、病理標本を載置した可動フレームを順次移動させながら複数の画像を高倍率で撮影するホールスライドイメージ作成装置が記載されている。
【先行技術文献】
【特許文献】
【０００４】
【特許文献１】特開２０１０−２０３２９号公報
【発明の概要】
【発明が解決しようとする課題】
【０００５】
ところで、病理診断を行う際にホールスライドイメージを高精度に観察するためにマルチディスプレイを用いることが検討されているが、通常、ホールスライドイメージの画像データが記録されたパーソナルコンピュータ（以下、ＰＣという。）に複数のグラフィックカードまたは複数台のディスプレイを接続することができるグラフィックカードを接続することにより、マルチディスプレイを構成するそれぞれのディスプレイに画像を表示させている。しかし、この方法では、ＰＣにおける処理にかかる負荷が大きくなるため、高性能のＰＣが必要となっていた。
本発明の目的は、高性能な機器を必要とせずに、マルチディスプレイを用いて病理診断を行うための診断用システム及び診断用表示装置を提供することである。
【課題を解決するための手段】
【０００６】
本発明の診断用システムは、病理標本を撮影した画像データを記憶する記憶部と、診断用表示装置との通信を行う通信部とを備えるサーバと、複数のディスプレイを配列して構成され、複数の前記ディスプレイはそれぞれ異なるコンピュータに接続されるマルチディスプレイと、前記マルチディスプレイに表示される病理標本を撮影した画像データに基づく画像に対して操作指示を行う操作部と、前記コンピュータのそれぞれに設けられ、前記コンピュータのそれぞれに接続された前記ディスプレイの表示制御を行う複数の表示制御部と、前記マルチディスプレイを構成する複数の前記ディスプレイのそれぞれに対応して設けられ、前記サーバから画像データを受信し、前記サーバに対して前記操作指示を示す信号を送信する通信部とを備える診断用表示装置とを備えることを特徴とする。
【０００７】
また、本発明の診断用システムは、前記マルチディスプレイに表示される領域の一部を拡大して表示する表示端末をさらに備えることを特徴とする。
【０００８】
また、本発明の診断用システムは、前記操作部は、前記ディスプレイ上に積層して配置されるタッチセンサであることを特徴とする。
【０００９】
また、本発明の診断用システムは、前記コンピュータは、パーソナルコンピュータであって、前記マルチディスプレイは、前記ディスプレイとしてＨＤディスプレイ、４Ｋディスプレイ、８Ｋディスプレイ及び１６Ｋディスプレイの少なくとも１つを含むことを特徴とする。
【００１０】
また、本発明の診断用システムは、前記診断用表示装置は、タブレットであることを特徴とする。
【００１１】
また、本発明の診断用システムは、前記画像データは、ホールスライドイメージの画像データであることを特徴とする。
【００１２】
また、本発明の診断用システムは、前記操作部による操作指示に基づいて、前記表示制御部は、前記マルチディスプレイに表示される画像の表示領域を変更することを特徴とする。
【００１３】
また、本発明の診断用表示装置は、複数のディスプレイを配列して構成され、複数の前記ディスプレイはそれぞれ異なるコンピュータに接続されるマルチディスプレイと、前記マルチディスプレイに表示される病理標本を撮影した画像データに基づく画像に対して操作指示を行う操作部と、前記マルチディスプレイを構成する複数の前記ディスプレイのそれぞれに対応して設けられ、前記コンピュータのそれぞれに設けられ、前記コンピュータにそれぞれ接続された前記ディスプレイの表示制御を行う複数の表示制御部と、前記マルチディスプレイを構成する複数の前記ディスプレイのそれぞれに対応して設けられ、前記サーバから画像データを受信し、前記サーバに対して前記操作指示を示す信号を送信する通信部とを備えることを特徴とする。
【００１４】
また、本発明の診断用表示装置は、前記操作部は、前記ディスプレイ上に積層して配置されるタッチセンサであることを特徴とする。
【００１５】
また、本発明の診断用表示装置は、前記コンピュータは、パーソナルコンピュータであって、前記マルチディスプレイは、前記ディスプレイとしてＨＤディスプレイ、４Ｋディスプレイ、８Ｋディスプレイ及び１６Ｋディスプレイのうちの少なくとも１つを含むことを特徴とする。
【００１６】
また、本発明の診断用表示装置は、タブレットであることを特徴とする。
【００１７】
また、本発明の診断用表示装置は、前記画像データは、ホールスライドイメージの画像データであることを特徴とする。
【００１８】
また、本発明の診断用表示装置は、前記操作部による操作指示に基づいて、前記表示制御部は、前記マルチディスプレイに表示される画像の表示領域を変更することを特徴とする。
【発明の効果】
【００１９】
本発明の診断用システム及び診断用表示装置によれば、高性能な機器を必要とせずに、マルチディスプレイを用いて病理診断を行うことができる。
【図面の簡単な説明】
【００２０】
【図１】実施の形態に係る診断用システムのシステム構成を示すブロック図である。
【図２】実施の形態に係る診断用システムにおけるプレパラートの画像データ作成処理を示すフローチャートである。
【図３】実施の形態に係る診断用システムを用いた画像の表示開始処理を示すフローチャートである。
【図４】実施の形態に係る診断用表示装置及び表示端末に表示される画像の一例を示す図である。
【図５】他の実施の形態に係るマルチディスプレイにおける各ディスプレイの配置を示す図である。
【図６】他の実施の形態に係る診断用表示装置を示す図である。
【発明を実施するための形態】
【００２１】
以下、図面を参照して本発明の実施の形態に係る診断用システム及び診断用表示装置について説明する。図１は、実施の形態に係る診断用システムのシステム構成を示すブロック図である。診断用システム２は、ＷＳＩ（ホールスライドイメージ）作成装置４、サーバ６、診断用表示装置８及び表示端末１０を備えている。
【００２２】
ＷＳＩ作成装置４は、病院または診療所等の診療機関に備えられ、ＷＳＩ作成装置４の各部を統括的に制御する制御部１２を備えている。制御部１２には、プレパラート１４を載置するためのステージ１６を移動させるステージ制御部１８、プレパラート１４を観察するための対物レンズ２０の駆動制御を行うレンズ駆動部２２、ＣＣＤ等により構成され、対物レンズ２０により撮像面上に結像された被写体像を撮像する撮像素子２４、プレパラート１４の全領域を含む全体画像を撮影するデジタルカメラ２６、撮像素子２４及びデジタルカメラ２６により撮像された画像データを一時的に記憶する画像記憶部２８、撮像素子２４により撮像された画像データに基づく画像を表示する表示部３０、一連の撮影動作を開始するための開始ボタン（不図示）を含む操作部３２、インターネット等のネットワークを介してサーバ６に対する画像データの送信等を行う通信部３４、画像記憶部２８に記憶された複数の画像データをつなぎあわせることにより一つの画像の画像データを生成する画像合成部３６が接続されている。ここで、対物レンズ２０は、少なくとも基本倍率（例えば対物１０倍）でプレパラート１４に貼付された切片を観察する対物レンズ２０を備えている。ここで切片は、手術により摘出された手術摘出材料をパラフィン包埋処理した後に、パラフィン包埋処理で得られたそれぞれのブロックを、ミクロトームを用いて数μｍの厚さに薄切することにより得られる。
【００２３】
サーバ６は制御部３８を備え、制御部３８にはインターネット等のネットワークを介してＷＳＩ作成装置４、診断用表示装置８及び表示端末１０との間で画像データや操作指示を示す信号等の送受信を行う通信部４０、ＷＳＩ（ホールスライドイメージ）の画像データ等を記憶するデータベース４２、ＷＳＩの画像データに基づいて診断用表示装置８及び表示端末１０に送信するための画像データを生成する画像生成部４３を備えている。
【００２４】
診断用表示装置８は、病理医師が病理診断を行う検査室に備えられている。診断用表示装置８は画像データに基づく画像を表示するマルチディスプレイ４４、第１ＰＣ４６、第２ＰＣ４８、第３ＰＣ５０及び第４ＰＣ５２及びマルチディスプレイ４４に表示される画像の表示範囲の移動指示、表示倍率の変更指示、プレパラート１４の画像データに基づく画像の観察を開始指示等を行うためのマウス（図示せず）及びタッチセンサ５４ａ〜５４ｄ（以下、マウス及びタッチセンサ５４ａ〜５４ｄを総称して「診断用表示装置８の操作部」ということがある。）を備えている。
【００２５】
マルチディスプレイ４４は、４枚のディスプレイ（第１ディスプレイ５６、第２ディスプレイ５８、第３ディスプレイ６０及び第４ディスプレイ６２）から構成され、第１ＰＣ４６は第１ディスプレイ５６の表示制御を行い、第２ＰＣ４８は第２ディスプレイ５８の表示制御を行い、第３ＰＣ５０は第３ディスプレイ６０の表示制御を行い、第４ＰＣ５２は第４ディスプレイ６２の表示制御をそれぞれ行う。ここで、４枚のディスプレイ（第１ディスプレイ５６、第２ディスプレイ５８、第３ディスプレイ６０及び第４ディスプレイ６２）は、それぞれＨＤの解像度を有するＨＤディスプレイ、フルＨＤの解像度を有するフルＨＤディスプレイ、４Ｋ解像度を有する４Ｋディスプレイ、８Ｋの解像度を有する８Ｋディスプレイまたは１６Ｋの解像度を有する１６Ｋディスプレイのうちのいずれかであることが好ましく、４Ｋディスプレイまたは８Ｋディスプレイのうちのいずれかであることがより好ましい。なお、第１ディスプレイ５６、第２ディスプレイ５８、第３ディスプレイ６０及び第４ディスプレイ６２のサイズはそれぞれ異なっていてもよいが、本実施の形態においては、それぞれ同一のサイズを有するものとして説明する。
【００２６】
また、タッチセンサ５４ａ〜５４ｄは、マルチディスプレイ４４を構成する４枚のディスプレイ（第１ディスプレイ５６、第２ディスプレイ５８、第３ディスプレイ６０及び第４ディスプレイ６２）のそれぞれに積層して配置されている。なお、以下において、第１ディスプレイ５６上に積層して配置されたタッチセンサをタッチセンサ５４ａ、第２ディスプレイ５８上に積層して配置されたタッチセンサを５４ｂ、第３ディスプレイ６０上に積層して配置されたタッチセンサをタッチセンサ５４ｃ、第４ディスプレイ６２上に積層して配置されたタッチセンサをタッチセンサ５４ｄという。
【００２７】
また、第１ＰＣ４６は制御部６４を備え、制御部６４には、タッチセンサ５４ａ、第１ディスプレイ５６の表示制御を行う表示制御部６６、サーバ６から画像データを受信し、タッチセンサ５４ａを介して入力された操作指示を示す信号をサーバ６に送信する通信部６８が接続されている。また、第２ＰＣ４８は制御部７０を備え、制御部７０には、タッチセンサ５４ｂ、第２ディスプレイ５８の表示制御を行う表示制御部７２、サーバ６から画像データを受信し、タッチセンサ５４ｂを介して入力された操作指示を示す信号をサーバ６に送信する通信部７４が接続されている。また、第３ＰＣ５０は制御部７６を備え、制御部７６には、タッチセンサ５４ｃ、第３ディスプレイ６０の表示制御を行う表示制御部７８、サーバ６から画像データを受信し、タッチセンサ５４ｃを介して入力された操作指示を示す信号をサーバ６に送信する通信部８０が接続されている。また、第４ＰＣ５２は制御部８２を備え、制御部８２には、タッチセンサ５４ｄ、第４ディスプレイ６２の表示制御を行う表示制御部８４、サーバ６から画像データを受信し、タッチセンサ５４ｄを介して入力された操作指示を示す信号をサーバ６に送信する通信部８６が接続されている。
【００２８】
また、表示端末１０は、診断用表示装置８が設けられた検査室に備えられ、マルチディスプレイ４４に表示されたＷＳＩの画像をさらに拡大表示させる等の表示を行うタブレット等の携帯型の端末である。表示端末１０は制御部８８を備え、制御部８８には、サーバ６から画像データ等を受信する通信部９０、画像データに基づく画像を表示する表示部９２の表示制御を行う表示制御部９４、表示部９２に積層して配置されたタッチセンサ９６が接続されている。
【００２９】
次に、図２に示すフローチャートを参照して実施の形態に係る診断用データ管理システムのＷＳＩ作成装置４におけるプレパラートの画像データ作成処理について説明する。まず、手術摘出材料に対して上述のように所定の処理をして得られる切片を用いて作製されたプレパラート１４がステージ１６上の所定の位置にセットされ（ステップＳ１）、開始ボタンが操作されると、制御部２２は、撮影処理を開始する（ステップＳ２）。即ち、制御部１２は、ステージ制御部１８を制御し、プレパラート１４がデジタルカメラ２６の直下に位置するようにステージ１６を移動させる。
【００３０】
次に、制御部１２は、デジタルカメラ２６によりプレパラート１４の全領域を含む準備用画像を撮影させ、準備用画像の準備用画像データを画像記憶部２８に記憶させる。
【００３１】
次に、制御部１２は、画像記憶部２８から準備用画像データを読み出し、画像データに基づいて、プレパラート１４において切片が貼り付けられた領域（以下、標本領域という。）を特定する（ステップＳ３）。
【００３２】
次に、制御部１２は、対物レンズ２０を用いて基本倍率で切片の撮影を行う前に予め、標本領域を複数の正方形の格子状の領域（以下、区分領域という。）に区分し、標本領域における各区分領域の位置を認識する。例えば、標本領域の上側縁部の最左端に位置する区分領域の位置を位置「１，１」として認識し、標本領域の上側縁部の最左端の右隣に位置する区分領域の位置を位置「１，２」として認識する。そして、標本領域の下側縁部の最右端に位置する区分領域の位置を位置「Ｍ，Ｎ」として認識するまで同様の処理を繰り返す。
【００３３】
次に、制御部１２は、対物レンズ２０を用いて基本倍率で切片を撮影する。まず、制御部１２はステージ制御部１８を制御し、標本領域において最初に撮影する位置「１，１」の区分領域が対物レンズ２０の直下に位置するようにステージ１６を移動させ、更にステージ１６を垂直方向に移動させて位置「１，１」の区分領域における所定の焦点位置（以下、基準面という。）に焦点を合わせる。次に、位置「１，１」の区分領域について対物１０倍の基本倍率で撮影し（ステップＳ４）、画像データに位置情報を付加して画像記憶部２８記憶させる。同様にして、制御部１２は、順次ステージ１６を移動させて位置「１，２」から位置「Ｍ，Ｎ」までの区分領域を基本倍率で撮影し、区分領域の画像の画像データに位置情報を付加して画像記憶部２８に記憶させる。
【００３４】
次に、制御部１２は、画像記憶部２８から基本倍率で撮影した各区分領域の画像の画像データを読み出し、画像合成部３６においてプレパラート１４について全ての区分領域をつなぎ合わせた切片の全体の画像データを生成する（ステップＳ５）。このとき、画像合成部３６は、各区分領域の画像データに付加された位置情報に基づいて各区分領域をつなぎ合わせ、画像記憶部２８に記憶させる。
【００３５】
そして、制御部１２は通信部３４を介して撮影を行ったプレパラート１４についての画像データをインターネット等のネットワークを介してサーバ６に送信し（ステップＳ６）、図２のフローチャートに示す画像データ作成処理を終了する。
【００３６】
このとき、サーバ６は通信部４０を介してプレパラート１４についての画像データを受信すると、制御部４０はデータベース４２に受信した画像データを記憶させる。
【００３７】
なお、１の手術摘出材料を例えば、厚さ４ｍｍ前後に切り出すことにより複数のプレパラート１４が作製された場合には、１の手術摘出材料から作製されたプレパラート１４の全てについてステップＳ１〜Ｓ６に示す処理を行う。この場合には、後述する病理診断において、２次元だけでなく、３次元における診断が可能となる。
【００３８】
次に、図３に示すフローチャートを参照して実施の形態に係る診断用システムを用いた画像の表示開始処理について説明する。病理医師はプレパラートの観察を行う際に、診断用表示装置８の操作部を用いた所定の操作により所定のプレパラート１４の画像の表示指示を行うと、制御部６４，７０，７６，８２は、それぞれサーバ６に対して画像データの送信要求を送信する（ステップＳ１１）。
【００３９】
ここで、第１ＰＣ４６の制御部６４、第２ＰＣ４８の制御部７０、第３ＰＣ５０の制御部７６及び第４ＰＣ５２の制御部８２は、それぞれマルチディスプレイ４４における第１ディスプレイ５６、第２ディスプレイ５８、第３ディスプレイ６０及び第４ディスプレイ６２の物理的な配置を示す座標の情報をサーバ６に対してそれぞれ送信する。即ち、図４（ａ）に示すように、第１ディスプレイ５６の座標が（０，０）〜（Ｘ1，Ｙ1）の範囲であり、第２ディスプレイ５８の座標が（Ｘ1，０）〜（２Ｘ1，Ｙ1）の範囲であり、第３ディスプレイ６０の座標が（０，Ｙ1）〜（Ｘ1，２Ｙ1）の範囲であり、第４ディスプレイ６２の座標が（Ｘ1，Ｙ1）〜（２Ｘ1，２Ｙ1）の範囲であることを送信する。また、表示させる倍率を送信してもよい。なお、Ｘ1は、第１ディスプレイ５６、第２ディスプレイ５８、第３ディスプレイ６０及び第４ディスプレイ６２のＸ軸方向（横軸方向）の長さを示しＹ1は第１ディスプレイ５６、第２ディスプレイ５８、第３ディスプレイ６０及び第４ディスプレイ６２のＹ軸方向（縦軸方向）の長さを示す。また、診断用表示装置８の操作部により操作が行われた座標（マウスポインタ座標）は、このＸＹ平面における座標として表すことができる。
【００４０】
送信要求を受信すると、サーバ６の制御部３８は、データベース４２から指定されたプレパラート１４の画像データを読み出す。そして、制御部３８は、画像生成部４３を制御して、第１ディスプレイ５６、第２ディスプレイ５８、第３ディスプレイ６０及び第４ディスプレイ６２の物理的な配置及び指定された倍率Ｃ1に応じて、読み出した画像データを切り出した分割画像データを生成する（ステップＳ１２）。ここで、倍率Ｃ1は予め設定されていてもよいし、第１ＰＣ４６、第２ＰＣ４８、第３ＰＣ５０及び第４ＰＣ５２からの画像データの送信要求の際に受信する情報に含まれていてもよい。
【００４１】
次に、制御部３８は、通信部４０を介して第１ＰＣ４６、第２ＰＣ４８、第３ＰＣ５０及び第４ＰＣ５２に対して、それぞれ第１ディスプレイ５６、第２ディスプレイ５８、第３ディスプレイ６０及び第４ディスプレイ６２の物理的な配置に応じた分割画像データを送信する（ステップＳ１３）。ここで、図４（ｂ）は、サーバ６のデータベース４２に記憶されている画像データの画像を示す図である。図４（ｂ）に示すように制御部３８は、ＷＳＩの画像データから所定の領域９７を切り出して、さらに、この領域９７を第１ディスプレイ５６、第２ディスプレイ５８、第３ディスプレイ６０及び第４ディスプレイ６２の物理的な配置に応じて分割することにより分割画像データを生成する。
【００４２】
診断用表示装置８において指定されたプレパラート１４についての各分割画像データを受信すると（ステップＳ１４）、図４（ａ）に示すように第１ＰＣ４６の制御部６４、第２ＰＣ４８の制御部７０、第３ＰＣ５０の制御部７６及び第４ＰＣ５２の制御部８２は、それぞれに接続された表示制御部６６，７２，７８，８４を制御して、第１ディスプレイ５６、第２ディスプレイ５８、第３ディスプレイ６０及び第４ディスプレイ６２に受信した分割画像データの画像を表示させる（ステップＳ１５）。即ち、マルチディスプレイ４４にプレパラート１４の画像データに基づく画像を表示させ、画像表示開始処理を終了する。
【００４３】
このとき、第１ＰＣ４６の制御部６４、第２ＰＣ４８の制御部７０、第３ＰＣ５０の制御部７６及び第４ＰＣ５２の制御部８２の何れかは、それぞれに接続された表示制御部６６，７２，７８，８４を制御して、マウスにより操作を行うためのマウスカーソル９５をマルチディスプレイ４４にさらに表示させる。
次に、マルチディスプレイ４４にプレパラート１４の画像データに基づく画像を表示させた後の操作について説明する。
【００４４】
マルチディスプレイ４４に画像が表示されると、病理医師はタッチセンサ５４ａ〜５４ｄをタッチすること、またはマウスを用いて左クリックを行うことにより、タッチまたはクリックが行われた部分について拡大された画像を表示端末１０に表示させる。即ち、タッチまたはクリックが行われた部分の表示制御を行うＰＣの制御部は、サーバ６に対して表示端末１０に画像を表示させるための画像表示指示を示す信号を送信する。また、このとき、表示端末１０に表示させる倍率を送信してもよい。
【００４５】
即ち、（０，０）〜（Ｘ1，Ｙ1）の範囲（マウスポインタ座標としての（Ａ，Ｂ）（Ａは０以上Ｘ1以下、かつ、Ｂは０以上Ｙ1以下））でタッチまたはクリックが行われると、第１ＰＣ４６の制御部６４は、通信部６８を介してサーバ６に対して表示端末１０への画像表示指示を示す信号を送信する。また、この場合には、制御部６４は表示制御部６６を制御して、第１ディスプレイ５６のタッチまたはクリックが行われた部分に記号９８を表示させる。また、（Ｘ1，０）〜（２Ｘ1，Ｙ1）の範囲（マウスポインタ座標としての（Ａ＋Ｘ1，Ｂ）（Ａは０以上Ｘ1以下、かつ、Ｂは０以上Ｙ1以下））でタッチまたはクリックが行われると、第２ＰＣ４８の制御部７０は、通信部７４を介してサーバ６に対して表示端末１０への画像表示指示を示す信号を送信する。また、この場合には、制御部７０は表示制御部７２を制御して、第２ディスプレイ５８のタッチまたはクリックが行われた部分に記号９８を表示させる。また、（０，Ｙ1）〜（Ｘ1，２Ｙ1）の範囲（マウスポインタ座標としての（Ａ，Ｂ＋Ｙ1）（Ａは０以上Ｘ1以下、かつ、Ｂは０以上Ｙ1以下））でタッチまたはクリックが行われると、第３ＰＣ５０の制御部７６は、通信部８０を介してサーバ６に対して表示端末１０への画像表示指示を示す信号を送信する。また、この場合には、制御部７６は表示制御部７８を制御して、第３ディスプレイ６０のタッチまたはクリックが行われた部分に記号９８を表示させる。また、（Ｘ1，Ｙ1）〜（２Ｘ1，２Ｙ1）の範囲（マウスポインタ座標としての（Ａ＋Ｘ1，Ｂ＋Ｙ1）（Ａは０以上Ｘ1以下、かつ、Ｂは０以上Ｙ1以下））でタッチまたはクリックが行われると、第４ＰＣ５２の制御部８２は、通信部８６を介してサーバ６に対して表示端末１０への画像表示指示を示す信号を送信する。また、この場合には、制御部８２は表示制御部８４を制御して、第４ディスプレイ６２のタッチまたはクリックが行われた部分に記号９８を表示させる。
【００４６】
表示端末１０への画像表示指示を示す信号を受信すると、サーバ６の制御部３８は画像生成部４３に指定された倍率Ｃ’に応じて、タッチまたはクリックが行われた部分についてプレパラート１４の画像データを切り出し、拡大することにより表示端末用分割画像データを生成させる。ここで、倍率Ｃ’は予め設定されていてもよいし、受信した表示端末１０への画像表示指示を示す信号に含まれていてもよい。
次に、制御部３８は、通信部４０を介して表示端末１０に対して、表示端末用分割画像データを送信する。
【００４７】
図４（ｃ）に示すように、表示端末１０において表示端末用分割画像データを受信すると、制御部８８は表示制御部９４を制御して表示部９２に受信した表示端末用分割画像データの画像を表示させる。
【００４８】
次に、表示端末１０に画像が表示されると、病理医師はマルチディスプレイ４４に積層して配置されたタッチセンサ５４ａ〜５４ｄを用いて所定の操作を行うことにより、表示端末１０に表示させる画像の表示範囲及び表示倍率を変更させることができる。たとえば、マルチディスプレイ４４に表示された記号９８を指で長押しする操作がされると、記号９８が表示された部分について表示端末１０に拡大表示させるための表示端末用拡大表示指示とすることができる。また、マルチディスプレイ４４に表示された記号９８をタップする操作がされると、記号９８が表示された部分を中心に表示端末１０に縮小表示させるための表示端末用縮小表示指示とすることができる。また、マルチディスプレイ４４に表示された記号９８を移動させるフリック操作がされると、表示端末１０に表示させる画像の表示範囲の変更（視野中心の変更）を行う表示端末用表示範囲変更指示とすることができる。
【００４９】
表示端末用表示範囲変更指示または表示端末用表示倍率変更指示（表示端末用拡大表示指示または表示端末用縮小表示指示）の操作が行われると、操作が行われた領域の表示制御を行うＰＣの制御部は、サーバ６に対して表示端末用表示範囲変更指示または表示端末用表示倍率変更指示を示す信号を送信する。例えば、図４（ａ）に示すように（０，０）〜（Ａ＋Ｘ1，Ｂ＋Ｙ1）の範囲でタッチセンサ５４ａまたはマウスにより表示端末用表示範囲変更指示または表示端末用表示倍率変更指示の操作が行われると、第１ＰＣ４６の制御部６４は、通信部６８を介してサーバ６に対して表示端末用表示範囲変更指示または表示端末用表示倍率変更指示を示す信号を送信する。
【００５０】
表示端末用表示範囲変更指示または表示端末用表示倍率変更指示を示す信号を受信すると、サーバ６の制御部３８は画像生成部４３に指定された部分及び／または指定された倍率Ｃ”に応じてプレパラート１４の画像データを切り出し、拡大することにより表示端末用分割画像データを生成させ、通信部４０を介して表示端末１０に対して表示端末用分割画像データを送信する。
【００５１】
表示端末１０において表示端末用分割画像データを受信すると、制御部８８は表示制御部９４を制御して表示部９２に受信した表示端末用分割画像データの画像を表示させる。
【００５２】
次に、記号９８が表示された領域以外において操作が行われた場合について説明する。マルチディスプレイ４４に画像が表示されると、病理医師はタッチセンサ５４ａ〜５４ｄまたはマウスを用いて所定の操作を行うことにより診断用表示装置８のマルチディスプレイ４４に表示させる画像の表示範囲及び表示倍率を変更させることができる。たとえば、記号９８が表示された領域以外において、タッチセンサ５４ａ〜５４ｄを用いて２本の指を広げるピンチアウト操作がされると、操作がされた領域を拡大表示させるための拡大表示指示とすることができる。また、記号９８が表示され領域以外において、タッチセンサ５４ａ〜５４ｄを用いて２本の指を狭めるピンチイン操作がされると、操作がされた領域を中心に縮小表示させるための縮小表示指示とすることができる。また、記号９８が表示された領域以外において、タッチセンサ５４ａ〜５４ｄを用いてフリック操作がされると、タッチセンサ５４ａ〜５４ｄ上での病理医師の指の移動距離に応じて表示範囲の変更を行う表示範囲変更指示とすることができる。
【００５３】
また、記号９８が表示された領域以外において、マウスの左ボタンが長押しされると、操作がされた領域を拡大表示させるための拡大表示指示とすることができる。また、記号９８が表示された領域以外において、マウスの右ボタンが長押しがされると、操作がされた領域を中心に縮小表示させるための縮小表示指示とすることができる。また、記号９８が表示された以外の領域で、マウスの左ボタンを押した状態で移動させるドラッグ操作がされると、移動距離に応じて表示範囲の変更を行う表示範囲変更指示とすることができる。
【００５４】
表示範囲変更指示または表示倍率変更指示の操作が行われると、操作が行われた領域の表示制御を行うＰＣの制御部は、サーバ６に対して表示範囲変更指示または表示倍率変更指示を示す信号を送信する。即ち、（０，０）〜（Ｘ1，Ｙ1）の範囲（マウスポインタ座標としての（Ａ，Ｂ）（Ａは０以上Ｘ1以下、かつ、Ｂは０以上Ｙ1以下））でタッチセンサ５４ａまたはマウスにより表示範囲変更指示または表示倍率変更指示の操作が行われると、第１ＰＣ４６の制御部６４は、通信部６８を介してサーバ６に対して表示範囲変更指示または表示倍率変更指示を示す信号を送信する。また、（Ｘ1，０）〜（２Ｘ1，Ｙ1）の範囲（マウスポインタ座標としての（Ａ＋Ｘ1，Ｂ）（Ａは０以上Ｘ1以下、かつ、Ｂは０以上Ｙ1以下））でタッチセンサ５４ｂまたはマウスにより表示範囲変更指示または表示倍率変更指示の操作が行われると、第２ＰＣ４８の制御部７０は、通信部７４を介してサーバ６に対して表示範囲変更指示または表示倍率変更指示を示す信号を送信する。また、（０，Ｙ1）〜（Ｘ1，２Ｙ1）の範囲（マウスポインタ座標としての（Ａ，Ｂ＋Ｙ1）（Ａは０以上Ｘ1以下、かつ、Ｂは０以上Ｙ1以下））でタッチセンサ５４ｃまたはマウスにより表示範囲変更指示または表示倍率変更指示の操作が行われると、第３ＰＣ５０の制御部７６は、通信部８０を介してサーバ６に対して表示範囲変更指示または表示倍率変更指示を示す信号を送信する。また、（Ｘ1，Ｙ1）〜（２Ｘ1，２Ｙ1）の範囲（マウスポインタ座標としての（Ａ＋Ｘ1，Ｂ＋Ｙ1）（Ａは０以上Ｘ1以下、かつ、Ｂは０以上Ｙ1以下））でタッチセンサ５４ｄまたはマウスにより表示範囲変更指示または表示倍率変更指示の操作が行われると、第４ＰＣ５２の制御部８２は、通信部８６を介してサーバ６に対して指示を示す信号を送信する。
【００５５】
変更操作を示す信号を受信すると、サーバ６の制御部３８は画像生成部４３に第１ディスプレイ５６、第２ディスプレイ５８、第３ディスプレイ６０及び第４ディスプレイ６２の物理的な配置または／及び指定された倍率Ｃに応じて、指定されたプレパラート１４の画像データを切り出した分割画像データを生成させ、通信部４０を介して第１ＰＣ４６、第２ＰＣ４８、第３ＰＣ５０及び第４ＰＣ５２に対して、それぞれ第１ディスプレイ５６、第２ディスプレイ５８、第３ディスプレイ６０及び第４ディスプレイ６２の物理的な配置に応じた分割画像データを送信する
【００５６】
診断用表示装置８において指定されたプレパラート１４についての各分割画像データを受信すると、第１ＰＣ４６の制御部６４、第２ＰＣ４８の制御部７０、第３ＰＣ５０の制御部７６及び第４ＰＣ５２の制御部８２は、それぞれ第１ＰＣ４６の制御部６４、第２ＰＣ４８の制御部７０、第３ＰＣ５０の制御部７６及び第４ＰＣ５２の制御部８２は、それぞれ第１ディスプレイ５６、第２ディスプレイ５８、第３ディスプレイ６０及び第４ディスプレイ６２に受信した分割画像データの画像を表示させる。即ち、マルチディスプレイ４４にプレパラート１４の画像データに基づく画像を表示させる。
【００５７】
また、１の手術摘出材料を例えば、厚さ４ｍｍ前後に切り出すことにより複数のプレパラート１４が作製された場合には、診断用表示装置８の操作部を介した所定の操作によりマルチディスプレイ４４に表示された平面についてのＸ，Ｙ方向への移動だけでなく、Ｚ軸方向（図４における紙面に対して垂直方向）について移動させるための表示範囲変更指示を受け付ける構成としてもよい。即ち、３次元における病理診断が可能な構成としてもよい。
【００５８】
病理医師はマルチディスプレイ４４または表示端末１０に表示された画像を観察し、病変部については診断用表示装置８の操作部または表示端末１０のタッチセンサ９６を介した所定の操作を行うことによりデジタルトレーシングを行ってもよい。
【００５９】
本実施の形態に係る診断用システム及び診断用表示装置によれば、高性能な機器を必要とせずに、マルチディスプレイを用いて病理診断を行うことができる。即ち、１台のＰＣに複数のグラフィックカードまたは複数台のディスプレイが接続可能なグラフィックカードを接続する必要がないため、ＰＣに高いスペックは求められない。また、ＰＣの台数は増えるが、小型ＰＣを用いることができる。
また、マルチディスプレイを構成するディスプレイとして、４Ｋ、８Ｋ等の高画質ディスプレイを用いることにより高精細観察を行うことができる。
【００６０】
また、サーバは複数台のＰＣからの操作を受けるが、ＷＳＩの画像データに比して各ＰＣや表示端末に対して送信するために作成される画像データの容量は小さいため、サーバへの負荷は小さいものとすることができる。
【００６１】
なお、上述の実施の形態においては、マルチディスプレイ４４の構成としてディスプレイを縦に２枚、横に２枚配置する構成としたが、マルチディスプレイの構成はこれに限られるものではない。例えば、ディスプレイを縦に２〜３枚、横に３〜４枚並べて配置させて構成してもよいし、図５に示すようにＨＤディスプレイ４枚と、４Ｋディスプレイ２枚、８Ｋまたは１６Ｋディスプレイ１枚によりマルチディスプレイを構成してもよい。
【００６２】
また、上述の実施の形態において、診断用表示装置８は、複数のＰＣと複数のディスプレイを含む構成としたが、図６に示すように複数のタブレットにより構成してもよい。
【００６３】
また、親タブレット及び複数の子タブレットからなる複数のタブレットによる表示を行ってもよい。この場合には、親タブレットに広い領域のプレパラートの画像を表示させ、親タブレットにおいて、タッチされた部分をｎ枚の子タブレットに拡大表示させる。また、子タブレットにおいてさらに注目すべき部分を２本の指を広げるピンチアウト操作がされると、その部分について、ｍ枚の子タブレットに拡大表示させる。
【００６４】
また、上述の実施の形態において３次元における病理診断を行う場合には、マルチディスプレイを複数用意してもよい。この場合には、Ｚ軸方向（図４における紙面に対して垂直方向）が異なる画像を複数のマルチディスプレイにそれぞれ表示させ、病理診断を行うことができる。この方法は、３次元での構造観察が必要な内膜細胞診等において有用である。
【符号の説明】
【００６５】
２…診断用システム、４…ＷＳＩ作成装置、６…サーバ、８…診断用表示装置、１０…表示端末、４４…マルチディスプレイ、４６…第１ＰＣ、４８…第２ＰＣ、５０…第３ＰＣ、５２…第４ＰＣ、５４ａ〜５４ｄ…タッチセンサ、５６…第１ディスプレイ、５８…第２ディスプレイ、６０…第３ディスプレイ、６２…第４ディスプレイ、６６，７２，７８，８４…表示制御部、６８，７４，８０，８６…通信部
【図１】
2015184612.tif 000003
【図２】
2015184612.tif 000004
【図３】
2015184612.tif 000005
【図４】
2015184612.tif 000006
【図５】
2015184612.tif 000007
【図６】
2015184612.tif 000008